(57)【要約】【課題】ハウジングが柔軟に弾性変形することによって、ロック凸部が摩滅することなく、ロック保持力を維持することができ、信頼性が高くなるようにする。【解決手段】ハウジングは、底壁部と、前端壁部と、側壁部と、嵌合空間とを有し、各側壁部は、嵌合空間に挿入された相手方ハウジングの相手方ロック凸部と係合するロック凸部と、下端が基板の表面に固定される取付用補助金具が装填される補助金具取付部とを含み、端子は、下端が基板の表面に固定される接続部を含み、前端壁部に装填され、底壁部の基板の表面に対向する面における左右両側縁には、ハウジングの外側に向うにつれて基板の表面から離れる傾斜面が、側壁部の前後方向に延在するように形成されている。【選択図】図１
2020009532.tif 000002
【特許請求の範囲】
【請求項１】
（ａ）絶縁性材料から成るハウジングと、該ハウジングに装填された端子とを備え、相手方ハウジング及び該相手方ハウジングに装填された相手方端子を有する相手方コネクタと嵌合するコネクタであって、
（ｂ）前記ハウジングは、基板の表面に対向する底壁部と、該底壁部の前端側縁に沿って延在する前端壁部と、該前端壁部の左右両端に接続され、前記底壁部の左右両側縁に沿って延在する左右一対の側壁部と、前記底壁部、前端壁部及び側壁部によって周囲の少なくとも一部を画定された嵌合空間とを有し、
（ｃ）各側壁部は、前記嵌合空間に挿入された相手方ハウジングの相手方ロック凸部と係合するロック凸部であって、前記側壁部の前端及び後端から離れた部分に形成されたロック凸部と、前記側壁部の後端に形成された補助金具取付部であって、下端が前記基板の表面に固定される取付用補助金具が装填される補助金具取付部とを含み、
（ｄ）前記端子は、下端が前記基板の表面に固定される接続部を含み、前記前端壁部に装填され、
（ｅ）前記底壁部の基板の表面に対向する面における左右両側縁には、前記ハウジングの外側に向うにつれて前記基板の表面から離れる傾斜面が、前後方向に延在するように形成されていることを特徴とするコネクタ。
【請求項２】
前記前端壁部は左右両端に形成された切込部を含み、該切込部は、前記前端壁部の後端面から前方に向けて凹入し、前記前端壁部の上面から下方に向けて延在する溝状の凹部である請求項１に記載のコネクタ。
【請求項３】
前記切込部の下端面は、前方に行くにつれて高くなるように傾斜した斜面である請求項２に記載のコネクタ。
【請求項４】
各側壁部における前記ロック凸部と前記側壁部の前端及び後端との間には薄肉部が形成されている請求項１〜３のいずれか１項に記載のコネクタ。
【請求項５】
前記ロック凸部の前後方向に関する位置は、前記取付用補助金具の下端と前記端子の接続部の下端との間である請求項１〜４のいずれか１項に記載のコネクタ。
【請求項６】
請求項１〜５のいずれか１項に記載のコネクタと、前記ハウジングと嵌合する相手方ハウジング及び前記端子と接触する相手方端子を備える相手方コネクタと、から成るコネクタアセンブリ。
【発明の詳細な説明】
【技術分野】
【０００１】
本開示は、コネクタ及びコネクタアセンブリに関するものである。
【背景技術】
【０００２】
従来、ケーブル等の電線をプリント回路基板等の回路基板に接続するためのコネクタにおいては、基板に実装されたコネクタと電線に接続された電線コネクタとの嵌合を維持するために、基板に実装されたコネクタのハウジングに電線コネクタのハウジングをロックさせるようになっている（例えば、特許文献１参照。）。
【０００３】
図８は従来のコネクタを示す斜視図である。
【０００４】
図において、８１１は、電子機器、電気機器等で使用される回路基板８９１に実装されるコネクタのハウジングである。前記コネクタは、図示されないケーブルの電線の終端に接続された電線コネクタと嵌合する。そして、前記ハウジング８１１は、電線コネクタのハウジングが挿入される嵌合空間８１３を画定する左右の側壁８１７を備え、該側壁８１７の内側面には内方に突出する係合用凸部８１８、及び、該係合用凸部８１８の下隣に係合用凹部８１６が形成されている。また、前記ハウジング８１１には、電線コネクタの端子と接触する端子８６１が装填されている。
【０００５】
そして、電線コネクタと回路基板８９１に実装されたコネクタとを嵌合させる際には、オペレータが手指によって電線コネクタのハウジングを回路基板８９１に実装されたコネクタのハウジング８１１の嵌合空間８１３内に押込むことにより、電線コネクタのハウジングが備える係合凸部がハウジング８１１の係合用凸部８１８を乗越えて係合用凹部８１６内に進入し、電線コネクタの係合凸部と係合用凸部８１８とが互いに係合する。これにより、電線コネクタのハウジングとハウジング８１１とがロックされ、電線コネクタと回路基板８９１に実装されたコネクタとの嵌合状態が維持される。
【０００６】
なお、電線コネクタと回路基板８９１に実装されたコネクタとの嵌合を解除する際には、オペレータが手指によって抜去力を発揮して電線コネクタのハウジングを引張ることにより、電線コネクタの係合凸部が係合用凸部８１８を乗越えて係合用凹部８１６から抜出されて電線コネクタのハウジングとハウジング８１１とのロックが解除され、電線コネクタがハウジング８１１の嵌合空間８１３から抜去られる。
【先行技術文献】
【特許文献】
【０００７】
【特許文献１】特開２００６−１２８０３４号公報
【発明の概要】
【発明が解決しようとする課題】
【０００８】
しかしながら、前記従来のコネクタにおいては、電線コネクタのハウジングが備える係合凸部とハウジング８１１の係合用凸部８１８との間の摩擦力によってロックを維持する、いわゆるフィリクションロックであるので、電線コネクタのハウジングをハウジング８１１の嵌合空間８１３内に押込んだり抜去ったりする際に、電線コネクタのハウジングが備える係合凸部とハウジング８１１の係合用凸部８１８とが互いに擦れ合って摩滅し、ロック保持力が低下してしまう。
【０００９】
ここでは、前記従来の問題点を解決して、ハウジングが柔軟に弾性変形することにより、ロック凸部が摩滅することなく、ロック保持力を維持することができ、信頼性の高いコネクタ及びコネクタアセンブリを提供することを目的とする。
【課題を解決するための手段】
【００１０】
そのために、コネクタにおいては、絶縁性材料から成るハウジングと、該ハウジングに装填された端子とを備え、相手方ハウジング及び該相手方ハウジングに装填された相手方端子を有する相手方コネクタと嵌合するコネクタであって、前記ハウジングは、基板の表面に対向する底壁部と、該底壁部の前端側縁に沿って延在する前端壁部と、該前端壁部の左右両端に接続され、前記底壁部の左右両側縁に沿って延在する左右一対の側壁部と、前記底壁部、前端壁部及び側壁部によって周囲の少なくとも一部を画定された嵌合空間とを有し、各側壁部は、前記嵌合空間に挿入された相手方ハウジングの相手方ロック凸部と係合するロック凸部であって、前記側壁部の前端及び後端から離れた部分に形成されたロック凸部と、前記側壁部の後端に形成された補助金具取付部であって、下端が前記基板の表面に固定される取付用補助金具が装填される補助金具取付部とを含み、前記端子は、下端が前記基板の表面に固定される接続部を含み、前記前端壁部に装填され、前記底壁部の基板の表面に対向する面における左右両側縁には、前記ハウジングの外側に向うにつれて前記基板の表面から離れる傾斜面が、前後方向に延在するように形成されている。
【００１１】
他のコネクタにおいては、さらに、前記前端壁部は左右両端に形成された切込部を含み、該切込部は、前記前端壁部の後端面から前方に向けて凹入し、前記前端壁部の上面から下方に向けて延在する溝状の凹部である。
【００１２】
更に他のコネクタにおいては、さらに、前記切込部の下端面は、前方に行くにつれて高くなるように傾斜した斜面である。
【００１３】
更に他のコネクタにおいては、さらに、各側壁部における前記ロック凸部と前記側壁部の前端及び後端との間には薄肉部が形成されている。
【００１４】
更に他のコネクタにおいては、さらに、前記ロック凸部の前後方向に関する位置は、前記取付用補助金具の下端と前記端子の接続部の下端との間である。
【００１５】
コネクタアセンブリにおいては、本開示のコネクタと、前記ハウジングと嵌合する相手方ハウジング及び前記端子と接触する相手方端子を備える相手方コネクタと、から成る。
【発明の効果】
【００１６】
本開示によれば、ハウジングが柔軟に弾性変形することによって、ロック凸部が摩滅することなく、ロック保持力を維持することができ、信頼性の高いコネクタ及びコネクタアセンブリを提供することができる。
【図面の簡単な説明】
【００１７】
【図１】本実施の形態における電線コネクタ及び基板コネクタが嵌合した状態の斜視図である。
【図２】本実施の形態における電線コネクタ及び基板コネクタが嵌合した状態の平面図である。
【図３】本実施の形態における電線コネクタ及び基板コネクタが嵌合した状態の横断面図であって図２におけるＡ−Ａ矢視断面図である。
【図４】本実施の形態における電線コネクタ及び基板コネクタが嵌合した状態の側断面図であって図２におけるＢ−Ｂ矢視断面図である。
【図５】本実施の形態における電線コネクタ及び基板コネクタの分解図である。
【図６】本実施の形態における基板コネクタの基板側ハウジングの斜視図であって、（ａ）は下方から観た斜視図、（ｂ）は上方から観た斜視図である。
【図７】本実施の形態における基板コネクタの基板側ハウジングの三面図であって、（ａ）は平面図、（ｂ）は（ａ）におけるＣ−Ｃ矢視断面図、（ｃ）は（ａ）におけるＤ−Ｄ矢視断面図である。
【図８】従来のコネクタを示す斜視図である。
【発明を実施するための形態】
【００１８】
以下、実施の形態について図面を参照しながら詳細に説明する。
【００１９】
図１は本実施の形態における電線コネクタ及び基板コネクタが嵌合した状態の斜視図、図２は本実施の形態における電線コネクタ及び基板コネクタが嵌合した状態の平面図、図３は本実施の形態における電線コネクタ及び基板コネクタが嵌合した状態の横断面図であって図２におけるＡ−Ａ矢視断面図、図４は本実施の形態における電線コネクタ及び基板コネクタが嵌合した状態の側断面図であって図２におけるＢ−Ｂ矢視断面図、図５は本実施の形態における電線コネクタ及び基板コネクタの分解図である。
【００２０】
図において、１は、本実施の形態のコネクタとしての基板コネクタであり、コネクタアセンブリである一対のコネクタの一方である。前記基板コネクタ１は、基板９１の表面９１ａに実装されるものであり、例えば、高さ（Ｚ軸方向寸法）が１．０〜２．０〔ｍｍ〕程度、幅（Ｙ軸方向寸法）が３．０〜５．０〔ｍｍ〕程度、長さ（Ｘ軸方向寸法）が３．０〜５．０〔ｍｍ〕程度の低背小型コネクタである。また、１０１は、本実施の形態の相手方コネクタとしての電線コネクタであり、コネクタアセンブリである一対のコネクタの他方である。前記電線コネクタ１０１は、複数の電線１９１の終端に接続され、該電線１９１を基板コネクタ１に電気的に接続するために使用されるものであり、例えば、高さ寸法が０．９８〜１．９８〔ｍｍ〕程度、幅と長さが２．０〜４．０〔ｍｍ〕程度の低背小型コネクタであり、かつ、基板コネクタ１に垂直嵌合されるものである。つまり、本実施の形態の基板コネクタ１及び電線コネクタ１０１は、望ましくは、低背小型垂直嵌合コネクタであり、電線１９１が基板９１の表面９１ａと平行に引出されるケーブル水平出しタイプのものである。
【００２１】
なお、前記基板９１は、例えば、電子機器等に使用されるプリント回路基板、フレキシブルフラットケーブル（ＦＦＣ）、フレキシブル回路基板（ＦＰＣ）等であるが、いかなる種類の基板であってもよい。また、図に示される例において、電線１９１は２本であるが、電線１９１の数は任意に変更することができ、例えば、１本であってもよいし、３本以上であってもよい。
【００２２】
また、本実施の形態において、基板コネクタ１及び電線コネクタ１０１の各部の構成及び動作を説明するために使用される上、下、左、右、前、後等の方向を示す表現は、絶対的なものでなく相対的なものであり、基板コネクタ１及び電線コネクタ１０１が図に示される姿勢である場合に適切であるが、基板コネクタ１及び電線コネクタ１０１の姿勢が変化した場合には姿勢の変化に応じて変更して解釈されるべきものである。
【００２３】
前記基板コネクタ１は、プラグコネクタであって、合成樹脂等の絶縁性材料によって一体的に形成され、相手方ハウジングとしての電線側ハウジング１１１と嵌合するハウジングとしての基板側ハウジング１１と、該基板側ハウジング１１に装填された金属製の端子としての基板側端子６１と、同じく基板側ハウジング１１に装填された金属製の取付用補助金具としてのネイル８１とを有する。ここでは、基板側端子６１が後方（Ｘ軸負方向）に向けて突出するプラグのような形状の接触部６４を含んでいるので基板コネクタ１をプラグコネクタと称しているが、嵌合空間１３に電線側ハウジング１１１が挿入されて嵌合されるので基板コネクタ１をレセプタルコネクタと称することもあり得る。
【００２４】
なお、図に示される例において、基板側端子６１は２本であるが、基板側端子６１の数は電線１９１の数に対応して任意に変更することができる。そして、前記基板コネクタ１は、概略直方体形状を備え、その下面１１ｂが基板９１の表面９１ａに対向するように前記基板９１に取付けられ、上方から電線コネクタ１０１が挿入されて嵌合される。
【００２５】
図に示されるように、基板側ハウジング１１は、前記基板９１の表面９１ａに対向する略矩形の平板状の底壁部１４と、該底壁部１４の前端側（Ｘ軸正方向端側であって嵌合する電線コネクタ１０１の前端側に対応）の縁に沿って延在し、底壁部１４から立設する前端壁部１５と、底壁部１４の両側縁に沿って延在し、底壁部１４から立設する左右一対の側壁部１７とを有する。なお、図に示される例において、前記前端壁部１５の上面と側壁部１７の上面とは、ほぼ面一となっていて、基板側ハウジング１１の上面１１ａを構成する。そして、１３は、底壁部１４、前端壁部１５及び側壁部１７によって周囲の少なくとも一部（四方）を画定された嵌合空間であり、電線コネクタ１０１の電線側ハウジング１１１が挿入されて嵌合される空間である。なお、図に示される例において、前記底壁部１４の後端（Ｘ軸負方向端）寄りの部分には、底壁部１４が欠落した底壁開放部１４ａが形成されている。
【００２６】
また、前記基板側ハウジング１１には、前端壁部１５にスリット状の開口を備える基板側端子収容凹部１２が複数形成されている。そして、各基板側端子収容凹部１２内には、基板側端子６１が１つずつ挿入されて装填される。なお、図に示される例において、基板側端子収容凹部１２は２つであるが、基板側端子収容凹部１２の数は基板側端子６１の数に対応して任意に変更することができる。
【００２７】
そして、前記基板側端子６１の接触部６４は、前端壁部１５から後方（Ｘ軸負方向）に向けて、かつ、底壁部１４から立設するように延在し、嵌合空間１３内に露出する。なお、前記基板側端子６１の接続部としてのソルダーテール部６２は、その下端が底壁部１４の前端から前方（Ｘ軸正方向）に延出し、基板９１の表面９１ａに露出する信号線、コンタクトパッド、端子等、すなわち、基板側端子部材に、はんだ付等によって電気的に接続される。なお、前記基板側端子６１は、基板コネクタ１を基板９１に固定するための第１固定金具として機能し、ソルダーテール部６２は第１基板固定部として機能する。
【００２８】
また、各側壁部１７は、その後端に一体的に形成された補助金具取付部２２を含み、該補助金具取付部２２には、上下方向に貫通する補助金具収容凹部２２ａが形成されている。そして、該補助金具収容凹部２２ａには、ネイル８１が１つずつ挿入されて装填される。各ネイル８１は、補助金具取付部２２の下面から下方（Ｚ軸負方向）に延出する接続部としてのソルダーテール部８２を備え、一体的に成形された概略長方形の金属製の板状の部材である。そして、前記ソルダーテール部８２は、その下端が、基板９１の表面９１ａに形成された接続パッド等のコネクタ固定部に、はんだ付等によって接続され固定される。これにより、前記ネイル８１は、基板コネクタ１を基板９１に固定するための第２固定金具として機能し、ソルダーテール部８２は第２基板固定部として機能する。
【００２９】
各側壁部１７における基板側ハウジング１１の幅方向内側の面には、該基板側ハウジング１１の幅方向中心に向けて突出するロック凸部としての係合用凸部１８が形成され、かつ、該係合用凸部１８の下側には、該係合用凸部１８に対して相対的に基板側ハウジング１１の幅方向外側に向けて凹入するロック凹部としての係合用凹部１６が形成されている。前記係合用凸部１８は、電線側ハウジング１１１に形成された相手方ロック凸部としての電線側係合用凸部１１８と係合する部分であり、側壁部１７の前端及び後端から離れた部分に形成されている。そして、前記係合用凸部１８は、図３に示されるように、概略三角形の断面形状を有し、上側には、下方に行くにつれて基板側ハウジング１１の幅方向中心に向うように傾斜した第１斜面１８ａが形成され、下側には、下方に行くにつれて基板側ハウジング１１の幅方向外側に向うように傾斜した第２斜面１８ｂが形成されている。
【００３０】
また、基板側ハウジング１１の下面１１ｂにおける基板側ハウジング１１の幅方向外側端縁、すなわち、底壁部１４の左右両側縁が左右の側壁部１７の下端と接続される箇所には、図３に示されるように傾斜面２１が形成されている。該傾斜面２１は、基板側ハウジング１１の幅方向外側に向うにつれて上方に向って基板９１の表面９１ａから離間するように形成された斜面であって、基板側ハウジング１１の幅方向に関し、始点２１ａから、側壁部１７の外側面との交点である終点２１ｂまでの範囲に亘って形成される。
【００３１】
一方、電線コネクタ１０１は、プラグコネクタであって、合成樹脂等の絶縁性材料によって一体的に形成され、前記基板コネクタ１の基板側ハウジング１１と嵌合する相手方ハウジングとしての電線側ハウジング１１１と、該電線側ハウジング１１１に装填された金属製の相手方端子としての電線側端子１６１とを有する。そして、前記電線側ハウジング１１１に形成された電線側端子収容凹部１１３内には、終端に電線側端子１６１が接続された電線１９１が挿入され保持されている。なお、図に示される例において、電線側端子１６１及び電線側端子収容凹部１１３は２つずつであるが、電線側端子１６１及び電線側端子収容凹部１１３の数は電線１９１の数に対応して任意に変更することができる。
【００３２】
各電線側端子１６１は、本体部１６３と、該本体部１６３から前方に延出する左右一対の板状の接触部１６４と、前記本体部１６３の後端に接続された芯線把持部１６５と、該芯線把持部１６５の後端に接続された被覆把持部１６６とを有する。前記接触部１６４は、左右から対応する基板側端子６１の接触部６４を挟持して、該接触部６４と接触する。また、前記芯線把持部１６５は、電線１９１の終端において絶縁被覆が除去されて露出する導電線としての芯線をクランプして把持し、これにより、該芯線との導通を維持する。さらに、前記被覆把持部１６６は、電線１９１をその絶縁被覆ごとクランプして把持し、これにより、電線１９１との接続を維持する。
【００３３】
そして、前記電線コネクタ１０１は、概略直方体形状を備え、その下面が基板コネクタ１の上面に対向するような姿勢で上方から基板コネクタ１に挿入されて嵌合される。すなわち、該基板コネクタ１に垂直嵌合される。
【００３４】
図に示されるように、電線側ハウジング１１１は、直方体形状の本体部１１４と、該本体部１１４の左右一対の側壁部１１７と、各側壁部１１７における電線側ハウジング１１１の幅方向外側の面から、該電線側ハウジング１１１の幅方向外側に向けて突出する相手方ロック凸部としての電線側係合用凸部１１８とを有する。なお、各側壁部１１７の前端における本体部１１４の前端面の左右両端との接続部分には、図２に示されるように、傾斜したテーパ面１１７ａが形成されている。また、前記本体部１１４の上面は平坦面であり、電線側ハウジング１１１の上面１１１ａを構成する。そして、電線側ハウジング１１１が基板側ハウジング１１の嵌合空間１３に挿入されて嵌合された状態で、電線側ハウジング１１１の上面１１１ａは、基板側ハウジング１１の上面１１ａとほぼ面一となる。
【００３５】
また、前記本体部１１４の前端面から下面にかけては、各電線側端子収容凹部１１３の図示されないスリット状の開口が形成されている。そして、各電線側端子１６１の接触部１６４の少なくとも一部は、各電線側端子収容凹部１１３の開口内に位置し、電線コネクタ１０１が基板コネクタ１と嵌合する際に、前記開口内に進入する基板側端子６１の接触部６４と接触する。
【００３６】
前記電線側係合用凸部１１８は、基板側ハウジング１１の係合用凸部１８及び係合用凹部１６とともに、電線コネクタ１０１と基板コネクタ１とをロックするためのロック機構を構成する部材の一つである。そして、前記電線側係合用凸部１１８は、前記側壁部１１７の外側面におけるもっとも前方寄りの箇所に形成されており、電線側ハウジング１１１が基板側ハウジング１１と嵌合した状態で、該基板側ハウジング１１の係合用凹部１６に収容される部分である。そして、前記電線側係合用凸部１１８は、図３に示されるように、概略三角形の断面形状を有し、上側には、下方に行くにつれて電線側ハウジング１１１の幅方向外側に向うように傾斜した第２斜面１１８ｂが形成され、下側には、下方に行くにつれて電線側ハウジング１１１の幅方向中心に向うように傾斜した第１斜面１１８ａが形成されている。なお、左右の電線側係合用凸部１１８の頂点間の距離は、基板側ハウジング１１の左右の係合用凸部１８の頂点間の距離よりも大きくなるように形成されている。
【００３７】
電線コネクタ１０１を基板９１の表面９１ａに実装された基板コネクタ１に嵌合する場合には、電線コネクタ１０１をオペレータが手指等によって操作して、電線側ハウジング１１１の本体部１１４の下面が基板側ハウジング１１の底壁部１４の上面に向合うように位置させる。また、電線コネクタ１０１の前端が基板コネクタ１における前端壁部１５が形成された前端と同一方向を向くように、電線コネクタ１０１の向きが調整される。そして、電線コネクタ１０１を基板９１の上方から基板９１に対して垂直に相対的に移動させ、電線コネクタ１０１の電線側ハウジング１１１を基板コネクタ１の基板側ハウジング１１の嵌合空間１３内に上方から挿入し、図１に示されるように、電線コネクタ１０１を基板コネクタ１に嵌合させる。
【００３８】
この際、基板コネクタ１の基板側端子６１の接触部６４が電線コネクタ１０１の電線側端子収容凹部１１３内に進入し、該電線側端子収容凹部１１３内に位置する各電線側端子１６１の接触部１６４と接触する。これにより、電線１９１の芯線が、電線側端子１６１及び基板側端子６１を介して、基板９１に形成された基板側端子部材に電気的に接続される。
【００３９】
また、電線側ハウジング１１１が基板側ハウジング１１の嵌合空間１３に挿入される際には、まず、電線側係合用凸部１１８の第１斜面１１８ａが係合用凸部１８の第１斜面１８ａに当接する。そして、オペレータが電線側ハウジング１１１に下向きの力を付与すると、電線側係合用凸部１１８の第１斜面１１８ａが係合用凸部１８の第１斜面１８ａに摺接しながら、電線側係合用凸部１１８が係合用凸部１８に対して相対的に下方に移動する。これにより、基板側ハウジング１１が弾性変形させられ、各側壁部１７が外側に傾斜し、対向する左右の係合用凸部１８の頂点間の距離が広げられるので、電線側係合用凸部１１８は、係合用凸部１８を乗越えて該係合用凸部１８の下方にまで移動して、係合用凹部１６に進入して係合する。すると、図３に示されるように、電線側係合用凸部１１８の第２斜面１１８ｂが係合用凸部１８の第２斜面１８ｂに対向した状態となる。これにより、電線コネクタ１０１と基板コネクタ１とのロックが補強され、電線コネクタ１０１が基板コネクタ１から外れることがより確実に防止される。
【００４０】
次に、前記基板コネクタ１の基板側ハウジング１１について詳細に説明する。
【００４１】
図６は本実施の形態における基板コネクタの基板側ハウジングの斜視図、図７は本実施の形態における基板コネクタの基板側ハウジングの三面図である。なお、図６において、（ａ）は下方から観た斜視図、（ｂ）は上方から観た斜視図であり、図７において、（ａ）は平面図、（ｂ）は（ａ）におけるＣ−Ｃ矢視断面図、（ｃ）は（ａ）におけるＤ−Ｄ矢視断面図である。
【００４２】
前述のように、電線コネクタ１０１を基板コネクタ１に嵌合させる際に、電線側ハウジング１１１の電線側係合用凸部１１８と基板側ハウジング１１の係合用凸部１８とが互いに擦れ合うようになっているので、基板側ハウジング１１の剛性が高く、係合用凸部１８が変位しないと、電線側係合用凸部１１８と係合用凸部１８との摩滅が進行してロック保持力が低下してしまう。そこで、本実施の形態においては、基板側ハウジング１１の剛性をある程度低減して、係合用凸部１８が弾性的に変位しやすくなっている。
【００４３】
具体的には、底壁部１４の基板９１の表面９１ａに対向する面における左右両側縁、すなわち、下面１１ｂにおける基板側ハウジング１１の幅方向外側端縁であって、左右の側壁部１７の下端と接続される箇所に、側壁部１７の前後方向（Ｘ軸方向）の全体に亘って、傾斜面２１が形成されている。該傾斜面２１は、基板側ハウジング１１の幅方向外側に向うにつれて上方に向って基板９１の表面９１ａから離間するように形成された斜面である。
【００４４】
図３を観ると容易に理解することができるように、電線側ハウジング１１１が基板側ハウジング１１の嵌合空間１３に挿入される際に、係合用凸部１８が電線側係合用凸部１１８によって基板側ハウジング１１の幅方向外側に向けて押されると、底壁部１４によって下端が互いに連結されている左右の側壁部１７は、その上端が基板側ハウジング１１の幅方向外側に向けて倒れるように、すなわち、その下端を中心に揺動するように、弾性的に変形する。ここで、底壁部１４の下端に対応する箇所には、基板側ハウジング１１の幅方向に関して始点２１ａから終点２１ｂまでの範囲に亘って、基板９１の表面９１ａから離れるように傾斜面２１が形成されているので、側壁部１７の下端において揺動の中心となる部位は、終点２１ｂよりも基板側ハウジング１１の幅方向内側に位置する始点２１ａに対応する部位となる。したがって、左右の側壁部１７は、傾斜面２１が形成されていない場合と比較すると、その上端が基板側ハウジング１１の幅方向外側に向うように揺動しやすくなっている。すなわち、左右の側壁部１７が弾性的に変形しやすく、係合用凸部１８は、基板側ハウジング１１の幅方向外側に向けて弾性的に変位しやすくなっている。
【００４５】
また、左右の側壁部１７は、その前端が、基板側端子６１によって基板９１に固定された前端壁部１５の両端に接続され、その後端に、ネイル８１によって基板９１に固定された補助金具取付部２２を含んでいるので、電線側係合用凸部１１８によって係合用凸部１８が押され、その上端が基板側ハウジング１１の幅方向外側に向うように揺動する場合には、全体が捩れ変形することとなる。そこで、図６及び７に示されるように、側壁部１７における係合用凸部１８の前後には、前方薄肉部２４ａ及び後方薄肉部２４ｂが形成されている。なお、前方薄肉部２４ａ及び後方薄肉部２４ｂを統合的に説明する場合には、薄肉部２４として説明する。係合用凸部１８が一体的に形成された側壁部１７の部分は、係合用凸部１８の存在によって厚肉となっているので、捩れ変形しにくくなっているが、当該部分の前後は、薄肉部２４となっているので、捩れ変形しやすくなっている。このように、係合用凸部１８の前後における薄肉部２４において側壁部１７が捩れ変形しやすいので、係合用凸部１８は、基板側ハウジング１１の幅方向外側に向けて弾性的に変位しやすくなっている。
【００４６】
なお、前記薄肉部２４における側壁部１７の肉厚（Ｙ軸方向の寸法）は、係合用凹部１６における側壁部１７の肉厚と同様である。また、前記傾斜面２１の幅方向（Ｙ軸方向）の寸法、すなわち、始点２１ａから終点２１ｂまでの寸法は、前記薄肉部２４における側壁部１７の肉厚の１／２以上に設定されることが望ましい。このように、傾斜面２１の幅方向の寸法が大きく設定されていると、側壁部１７は、その上端が基板側ハウジング１１の幅方向外側に向うように揺動しやすくなる。
【００４７】
さらに、底壁部１４の後端寄りの部分に底壁開放部１４ａが形成されていることによって、底壁部１４による側壁部１７の拘束が弱くなり、側壁部１７が捩れ変形しやすくなっている。したがって、係合用凸部１８は、基板側ハウジング１１の幅方向外側に向けて弾性的に変位しやすくなっている。
【００４８】
さらに、左右の側壁部１７の前端と前端壁部１５の左右両端の接続部分には、切込部２３が形成されている。該切込部２３は、前端壁部１５の後端面（Ｘ軸負方向端面）から前方に向けて凹入し、かつ、前端壁部１５の上面から下方に向けて延在する溝状の凹部であり、その下端面は斜面２３ａとなっている。なお、前記切込部２３の内面における基板側ハウジング１１の幅方向外側の面は、側壁部１７の前方薄肉部２４ａにおける内側側面と面一となっている。また、前記斜面２３ａは、後端が底壁部１４の上面と同一の高さであり、前方に行くにつれて高くなるように傾斜した面である。前記切込部２３が存在することによって、左右の側壁部１７の前端との接続部分における前端壁部１５の肉厚（Ｘ軸方向の寸法）が薄くなるので、前記前端壁部１５による側壁部１７の前端の拘束力が低下し、前方薄肉部２４ａにおいて側壁部１７が捩れ変形しやすくなっている。このように、係合用凸部１８の前方における前方肉薄部２４ａにおいて側壁部１７が捩れ変形しやすいので、係合用凸部１８は、基板側ハウジング１１の幅方向外側に向けて弾性的に変位しやすくなっている。
【００４９】
なお、前記斜面２３ａが存在することによって、左右の側壁部１７の前端と前端壁部１５との接続部分の下端における底壁部１４の肉厚（Ｚ軸方向の寸法）が厚くなるので、前記前端壁部１５及び底壁部１４による側壁部１７の前端の拘束力が増加し、前方薄肉部２４ａにおいて側壁部１７が捩れ変形しにくくなる。つまり、前記斜面２３ａを形成することによって、前方薄肉部２４ａにおいて側壁部１７の捩れ変形のしやすさが制御されている。したがって、前記斜面２３ａの傾斜を調整して該斜面２３ａにおける底壁部１４の肉厚を調整することによって、側壁部１７が捩れ変形のしやすさを調整して係合用凸部１８の弾性的な変位のしやすさを適切に制御することができる。
【００５０】
このように、本実施の形態において、基板コネクタ１は、絶縁性材料から成る基板側ハウジング１１と、基板側ハウジング１１に装填された基板側端子６１とを備え、電線側ハウジング１１１及び電線側ハウジング１１１に装填された電線側端子１６１を有する電線コネクタ１０１と嵌合する。そして、基板側ハウジング１１は、基板９１の表面９１ａに対向する底壁部１４と、底壁部１４の前端側縁に沿って延在する前端壁部１５と、前端壁部１５の左右両端に接続され、底壁部１４の左右両側縁に沿って延在する左右一対の側壁部１７と、底壁部１４、前端壁部１５及び側壁部１７によって周囲の少なくとも一部を画定された嵌合空間１３とを有し、各側壁部１７は、嵌合空間１３に挿入された電線側ハウジング１１１の電線側係合用凸部１１８と係合する係合用凸部１８であって、側壁部１７の前端及び後端から離れた部分に形成された係合用凸部１８と、側壁部１７の後端に形成された補助金具取付部２２であって、下端が基板９１の表面９１ａに固定されるネイル８１が装填される補助金具取付部２２とを含み、基板側端子６１は、下端が基板９１の表面９１ａに固定されるソルダーテール部６２を含み、前端壁部１５に装填され、底壁部１４の基板９１の表面９１ａに対向する面における左右両側縁には、基板側ハウジング１１の外側に向うにつれて基板９１の表面９１ａから離れる傾斜面２１が、側壁部１７の前後方向の全体に亘って延在するように形成されている。
【００５１】
これにより、左右の側壁部１７が弾性的に変形しやすく、係合用凸部１８は、基板側ハウジング１１の幅方向外側に向けて弾性的に変位しやすくなっている。このように、基板側ハウジング１１が柔軟に弾性変形することによって、係合用凸部１８が摩滅することなく、ロック保持力を維持することができ、基板コネクタ１の信頼性が向上する。
【００５２】
また、前端壁部１５は左右両端に形成された切込部２３を含み、切込部２３は、前端壁部１５の後端面から前方に向けて凹入し、前端壁部１５の上面から下方に向けて延在する溝状の凹部である。これにより、係合用凸部１８の前方において側壁部１７が捩れ変形しやすいので、係合用凸部１８は、基板側ハウジング１１の幅方向外側に向けて弾性的に変位しやすくなる。
【００５３】
さらに、切込部２３の下端面は、前方に行くにつれて高くなるように傾斜した斜面２３ａである。これにより、側壁部１７が捩れ変形のしやすさを調整して係合用凸部１８の弾性的な変位のしやすさを適切に制御することができる。
【００５４】
さらに、各側壁部１７における係合用凸部１８と側壁部１７の前端及び後端との間には薄肉部２４が形成されている。このように、係合用凸部１８の前後における薄肉部２４において側壁部１７が捩れ変形しやすいので、係合用凸部１８は、基板側ハウジング１１の幅方向外側に向けて弾性的に変位しやすくなっている。
【００５５】
さらに、係合用凸部１８の前後方向に関する位置は、ネイル８１の下端と基板側端子６１のソルダーテール部６２の下端との間である。したがって、係合用凸部１８は、基板側ハウジング１１の幅方向外側に向けて弾性的に変位しやすくなっている。
【００５６】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００５７】
本開示は、コネクタ及びコネクタアセンブリに適用することができる。
【符号の説明】
【００５８】
１    基板コネクタ
１１    基板側ハウジング
１１ａ、１１１ａ    上面
１１ｂ    下面
１２    基板側端子収容凹部
１３、８１３    嵌合空間
１４    底壁部
１４ａ    底壁開放部
１５    前端壁部
１６、８１６    係合用凹部
１７、１１７    側壁部
１８、８１８    係合用凸部
１８ａ、１１８ａ    第１斜面
１８ｂ、１１８ｂ    第２斜面
２１    傾斜面
２１ａ    始点
２１ｂ    終点
２２    補助金具取付部
２２ａ    補助金具収容凹部
２３    切込部
２３ａ    斜面
２４    薄肉部
２４ａ    前方薄肉部
２４ｂ    後方薄肉部
６１    基板側端子
６２、８２    ソルダーテール部
６４、１６４    接触部
８１    ネイル
９１    基板
９１ａ    表面
１０１    電線コネクタ
１１１    電線側ハウジング
１１３    電線側端子収容凹部
１１４、１６３    本体部
１１７ａ    テーパ面
１１８    電線側係合用凸部
１６１    電線側端子
１６５    芯線把持部
１６６    被覆把持部
１９１    電線
８１１    ハウジング
８１７    側壁
８６１    端子
８９１    回路基板
【図１】
2020009532.tif 000003
【図２】
2020009532.tif 000004
【図３】
2020009532.tif 000005
【図４】
2020009532.tif 000006
【図５】
2020009532.tif 000007
【図６】
2020009532.tif 000008
【図７】
2020009532.tif 000009
【図８】
2020009532.tif 000010